(57)【要約】      （修正有）【課題】ラック筐体に関し、作業対象ラックを前後いずれからも判別することができるようにして、内部に収容された装置に対する操作性を向上させる。【解決手段】前後面に扉体１を備えたラック筐体であって、前後各扉体１には、自扉の開閉状態を表示する自扉点灯表示部２Ａが配置され、かつ、各自扉点灯表示部２Ａが、反対扉体１から点灯操作可能に構成する。自扉点灯表示部は、対応する扉体の開閉操作に連動して点灯、消灯するか、対応する扉体の施錠操作に連動して消灯する。【選択図】図１
2006147741.tif 000002
【特許請求の範囲】
【請求項１】
前後面に扉体を備えたラック筐体であって、
前後各扉体には、自扉の開閉状態を表示する自扉点灯表示部が配置され、
かつ、各自扉点灯表示部が、反対扉体から点灯操作可能なラック筐体。
【請求項２】
前記自扉点灯表示部は、対応する扉体の開閉操作に連動して点灯、消灯する請求項１記載のラック筐体。
【請求項３】
前記自扉点灯表示部は、対応する扉体の施錠操作操作に連動して消灯する請求項１記載のラック筐体。
【発明の詳細な説明】
【技術分野】
【０００１】
本発明は、ラック筐体に関するものである。
【背景技術】
【０００２】
前後の開口部に扉体を装着し、ラック内に収容された機器等の保守を前後の開口から行うようにしたラック筐体としては、特許文献１に記載のものが知られている。
【特許文献１】特開２００３-６０３６７号公報
【発明の開示】
【発明が解決しようとする課題】
【０００３】
ところで、高さが高い複数のラックを並設する場合には、例えば、前方の扉体１を開けて装置前方に対する操作を行った後、装置後方に回り込んで操作を行う場合には、操作対象装置が収容されているラックを後方から識別する必要がある。
【０００４】
そして、上述した従来例において、この操作対象のラックを特定するためには、例えば、前方からの操作を行う前に後部扉体にラベル等を貼付しておく必要があり、作業性が悪いという欠点がある。
【０００５】
本発明は、以上の欠点を解消すべくなされたものであって、作業対象ラックを前後いずれからも判別することができるようにして、内部に収容された装置に対する操作性を向上させたラック筐体の提供を目的とする。
【課題を解決するための手段】
【０００６】
ラック筐体は、前後に開放された開口を各々扉体１により開放操作可能に閉塞して形成され、前後面の扉体１Ａ、１Ｂの各々には、自扉点灯表示部２Ａが設けられる。自扉点灯表示部２Ａは、前面側の扉体１Ａに設置されるものは後面側の扉体１から、後面側の扉体１に設置されるものは、前面側の扉体１から点灯表示することができ、反対側に回り込むことなく、作業対象のラックを知ることができる。
【０００７】
この自扉点灯表示部２Ａは、例えば、各扉体１Ａ、１Ｂに配置される点灯スイッチ３への操作により点灯させることができるが、対応する扉体１Ａ、１Ｂの開閉操作、あるいは施解錠操作に連動して点灯、消灯すると、扉の閉め忘れ、あるいは施錠忘れを確実に防止することができる。
【発明の効果】
【０００８】
本発明によれば、作業対象ラックを前後いずれからも判別することができるので、内部に収容された装置に対する操作性を向上させることができる。
【発明を実施するための最良の形態】
【０００９】
図１に示すように、ラック筺体は相当高を有する箱体であり、適宜数を並べて使用される。このラック筺体内には種々の電子装置が収容され、収容された電子装置の表裏両面からの修理、点検等ができるように、ラック筺体は前後に開口される。内部の電子装置を塵埃等から保護するとともに、不正な操作を防止するために、上記前後の開口は施錠可能な蓋体により閉塞される。
【００１０】
図１、２に示すように、前後各扉体１Ａ、１Ｂには、扉体１を施解錠するためのシリンダ錠４と、２個の点灯表示部２と、押しボタンスイッチからなる点灯スイッチ３とが配置される。点灯表示部２は発光ダイオードにより形成され、一方（自扉点灯表示部２Ａ）は当該点灯表示部２Ａが取り付けられる側の扉体１、他方（反対扉点灯表示部２Ｂ）は反対側の扉体１の開閉状態を示す。すなわち、前面側の扉体１Ａを例に取ると、自扉点灯表示部２Ａは、前面側の扉体１Ａが開くと点灯し、反対扉点灯表示部２Ｂは、後面側の扉体１Ｂが開くと点灯する。また、これら点灯表示部２は、各々、対応する扉体１を閉じた後、施錠すると自動消灯する。
【００１１】
なお、本明細書において、前後面の扉体を総称する場合には、符号１を、前後面の扉体を区別する場合には符号１Ａ、１Ｂを付す。また、点灯表示部に対しても、自扉と反対扉を区別する必要がある場合には３Ａ、３Ｂの符号を付し、総称する場合には、符号３を付す。
【００１２】
一方、点灯スイッチ３は、反対側の扉体１の自扉点灯表示部２Ａに対する点灯スイッチであり、前面側の扉体１Ａに配置される点灯スイッチ３を押下することにより後面側の扉体１Ｂの自扉点灯表示部２Ａが点灯し、同時に、前面側の扉体１Ａの反対扉点灯表示部２Ｂも点灯する。この点灯スイッチ３は、対応する扉体１の開閉状態にかかわらず当該扉体１に対応する点灯表示部２を点灯することができる。
【００１３】
以上のように構成されるラック筺体の使用方法を説明する。いま、図３（ｂ）においてハッチングで示すラック筺体内の電子装置の保守を考える。電子装置の保守に際し、まず前面側（図において下縁側）の扉体１Ａのシリンダ錠４（図１参照）に解錠キーを挿入して施錠状態を解除し、当該扉体１Ａを開放する。扉体１Ａの開放により、前面側の扉体１Ａの自扉点灯表示部２Ａと、後面側の扉体１Ｂの反対扉点灯表示部２Ｂが点灯する。
【００１４】
この状態で電子装置を前面側から操作することでき、操作終了後、前面側扉体１Ａを閉じ、さらに施錠すると、上述した各点灯表示部２が消灯し、次いで、後面側からの操作が必要であるときには、前面側扉体１Ａの点灯スイッチ３を押下する。
【００１５】
点灯スイッチ３の押下により、後面側扉体１Ｂの自扉点灯表示部２Ａと、前面側扉体１Ａの反対扉点灯表示部２Ｂとが点灯し、この後、ラック筐体の後面側に移動すると、後面側扉体１Ａの自扉点灯表示部２Ａが点灯しているために、前面側扉体１Ａで操作していたラック筐体を簡単に特定することができる。
【００１６】
この状態から後面側扉体１Ｂを開放して電子装置に対する操作を行って後面側扉体１Ｂを閉じ、施錠すると、後面側扉体１Ｂの自扉点灯表示部２Ａと、前面側扉体１Ａの反対扉点灯表示部２Ｂとが消灯し、初期状態に復帰する。
【００１７】
したがってこの実施の形態において、前面、あるいは後面側の扉体１Ａ、１Ｂを開放して作業を行った後、当該扉体１を閉塞し、後面側に回り込んだ時にも作業対象のラック筺体を特定することができるために、作業性が向上する。また、自扉点灯表示部２Ａは、一旦点灯すると、施錠がなされるまで消灯しないために、施錠忘れを防止できる。
【００１８】
なお、上述した使用例では、前面側からの操作を終了後、前面側の扉体１Ａを閉じて後面側に移動する場合を示したが、前面側扉体１Ａを閉じることなく、あるいは施錠することなく後面側に移動する場合には、後面側の扉体１Ｂの反対扉点灯表示部２Ｂ、すなわち前面側扉体１Ａの開閉状態を表示する点灯表示部２が点灯しているために、点灯スイッチ３を押下せずに後面側に移動するだけで操作対象を特定することができる。
【００１９】
このとき、複数の前面側扉体１Ａを開放している場合には、点灯スイッチ３を押下しておくと、後面側に移動した後、自扉点灯表示部２Ａが点灯しているか否かで簡単に操作対象を特定することができる。
【００２０】
以上のようにして後面側での操作を行った後、後面側扉体１Ｂを閉塞、施錠し、再び前面側に移動して自扉点灯表示部２Ａが点灯している扉体１Ａを閉塞、施錠すると、初期状態に復帰する。
【００２１】
なお、以上において自扉点灯表示部２Ａは、施錠により消灯する場合を示したが、閉扉操作により消灯するようにしてもよい。
【図面の簡単な説明】
【００２２】
【図１】本発明を示す図で、（ａ）は前面側の斜視図、（ｂ）は扉体の拡大図である。
【図２】ラック筐体の後面側を示す図で、（ａ）は斜視図、（ｂ）は扉体の拡大図である。
【図３】本発明の使用方法の説明図で、（ａ）はラック筐体の列を示す斜視図、（ｂ）は平面図である。
【符号の説明】
【００２３】
１        扉体
２Ａ      自扉点灯表示部
【図１】
2006147741.tif 000003
【図２】
2006147741.tif 000004
【図３】
2006147741.tif 000005